(57)【要約】【課題】操作しやすいタッチスクリーンを備えた表示装置を提供する。【解決手段】  画像を表示するとともにユーザからのタッチ入力を受付ける表示面１０を有するタッチスクリーン１を備えた表示装置１００である。表示面１０は、その周縁１１における第１端部１１ａから、表示面１０の面積重心Ｃを挟んで第１端部１１ａと反対側の周縁１１に位置する第２端部１１ｂに向かう方向に沿って湾曲している。表示面１０は、第１端部１１ａから第２端部１１ｂに向かう方向に沿った曲率が一定で、第１端部１１ａを含んで変曲点を含まない第１表示領域１０ａと、第１表示領域１０ａの第２端部１１ｂ側に連設され、前記曲率が一定で変曲点を含まない第２表示領域１０ｂと、を有する。第１表示領域１０ａと第２表示領域１０ｂとは、一方が凹面で他方が凸面である第１条件と、前記曲率が互いに異なる第２条件との、少なくとも一方を満たす。【選択図】図６
2016146004.tif 000002
【特許請求の範囲】
【請求項１】
画像を表示するとともにユーザからのタッチ入力を受付ける表示面を有するタッチスクリーンを備えた表示装置であって、
前記表示面は、前記表示面の周縁における第１端部から、前記表示面の面積重心を挟んで前記第１端部と反対側の前記周縁に位置する第２端部に向かう方向に沿って湾曲しており、前記第１端部から前記第２端部に向かう方向に沿った曲率が一定で、前記第１端部を含んで変曲点を含まない第１表示領域と、前記第１表示領域の前記第２端部側に連設され、前記曲率が一定で変曲点を含まない第２表示領域と、を有し、
前記第１表示領域と前記第２表示領域とは、一方が凹面で他方が凸面である第１条件と、前記曲率が互いに異なる第２条件との、少なくとも一方を満たす
ことを特徴とする表示装置。
【請求項２】
前記タッチスクリーンは、可撓性を有し、
前記タッチスクリーンの形状を維持する形状維持部材をさらに有する
ことを特徴とする請求項１に記載の表示装置。
【請求項３】
前記第１表示領域は、凸面であり、
前記第２表示領域は、凹面である
ことを特徴とする請求項１または２に記載の表示装置。
【請求項４】
前記第１表示領域および前記第２表示領域の一方は、平面である
ことを特徴とする請求項１または２に記載の表示装置。
【請求項５】
前記表示面は、前記第１端部から前記第２端部に向かう方向と直交する方向に沿って湾曲していない
ことを特徴とする請求項１から４の何れか１項に記載の表示装置。
【請求項６】
前記第２表示領域は、前記第２端部を含む
ことを特徴とする請求項１から５の何れか１項に記載の表示装置。
【請求項７】
前記第１表示領域と前記第２表示領域とは、前記第１端部から前記第２端部へと向かう方向における長さが異なる
ことを特徴とする請求項１から６の何れか１項に記載の表示装置。
【請求項８】
前記第１表示領域は、前記第２表示領域よりも、前記長さが長い
ことを特徴とする請求項７に記載の表示装置。
【請求項９】
前記第１表示領域の前記長さは、前記表示面の前記長さの１／２以上で３／４以下である
ことを特徴とする請求項７または８に記載の表示装置。
【請求項１０】
前記第１表示領域の前記長さは、前記表示面の前記長さの１／４以上で１／２以下である
ことを特徴とする請求項７または８に記載の表示装置。
【請求項１１】
前記第２表示領域の前記第２端部側に連設され、前記曲率が一定で変曲点を含まない第３表示領域を有し、
前記第２表示領域と前記第３表示領域とは、前記第１条件と前記第２条件の少なくとも一方を満たす
ことを特徴とする請求項１から１０の何れか１項に記載の表示装置。
【請求項１２】
前記第２表示領域は、平面でなく、
前記第３表示領域は、平面である
ことを特徴とする請求項１１に記載の表示装置。
【請求項１３】
前記第３表示領域の前記第２端部側に連設され、前記曲率が一定で変曲点を含まない第４表示領域を有し、
前記第３表示領域と前記第４表示領域とは、前記第１条件と前記第２条件との少なくとも一方を満たす
ことを特徴とする請求項１１または１２に記載の表示装置。
【請求項１４】
前記第１表示領域および前記第３表示領域が凸面であって、前記第２表示領域および前記第４表示領域が凹面であるか、または、前記第１表示領域および前記第３表示領域が凹面であって、前記第２表示領域および前記第４表示領域が凸面である
ことを特徴とする請求項１３に記載の表示装置。
【請求項１５】
前記表示面は、平面視で矩形状であり、前記矩形の対角線の長さが、１０インチ以上５０インチ以下である
ことを特徴とする請求項１から１４の何れか１項に記載の表示装置。
【請求項１６】
前記タッチスクリーンの外側において前記第１端部から前記第２端部へと向かう方向に沿って配され、前記タッチスクリーンとの間で信号のやり取りを行う複数の端子部を備え、
前記複数の端子部は、前記表示面の変曲点を避けた位置に配置されている
ことを特徴とする請求項１から１５の何れか１項に記載の表示装置。
【請求項１７】
前記第１端部が上側、前記第２端部が下側となる姿勢で、車両内部に取り付けられている
ことを特徴とする請求項１から１６の何れか１項に記載の表示装置。
【請求項１８】
操作者が前記車両の運転席から前記表示面へのタッチ操作を行なうことが可能な位置に前記タッチスクリーンが位置するように、前記車両内部のコンソールパネルに取り付けられている
ことを特徴とする請求項１７に記載の表示装置。
【請求項１９】
前記コンソールパネルにおける前記タッチ操作を行うことが可能な位置において、前記第１端部は、前記車両のダッシュボードよりも低く、前記第２端部は、前記運転席の座面よりも高い
ことを特徴とする請求項１８に記載の表示装置。
【請求項２０】
ユーザ側から見た場合に、前記第１端部および前記第２端部の地面または床面からの高さが同じになるような状態において、前記第１端部が左側に位置する第１状態と、前記第１端部が右側に位置する第２状態との間で切り替え可能に、前記タッチスクリーンおよび前記筐体を含むパネル部を保持する回動部と、
前記回動部を介して前記パネル部を地面または床面に対して支持する支持部と、
前記パネル部の天地を検出する天地検出部と、
前記天地検出部の検出結果に基づいて、前記表示部に正しい天地で画像を表示させる表示制御部と、を備える
ことを特徴とする請求項１から１６の何れか１項に記載の表示装置。
【請求項２１】
請求項１から１９のいずれか１項に記載の表示装置を有する車両。
【請求項２２】
請求項１から１６、および２０のいずれか１項に記載の表示装置を有する電子看板。
【請求項２３】
請求項１から１６のいずれか１項に記載の表示装置を有する携帯型電子機器。
【発明の詳細な説明】
【技術分野】
【０００１】
本発明は、タッチスクリーンを備える表示装置に関し、特に、タッチスクリーンの表示面が湾曲形状を有する表示装置に関する。
【背景技術】
【０００２】
近年、スマートフォンやタブレット端末の普及などを契機に、ユーザーインターフェースでは表示面へのタッチ入力が一般的となり、カーナビゲーションやサイネージなどの機器にも多く搭載されている。例えばタッチスクリーン搭載の車載用表示装置では、カーナビゲーションシテムによる案内表示、車内の音響設備の設定状態の表示、室内の温湿度の表示に対して、運転者または同乗者は画面を直接触って値を調整、操作することが可能である。
【０００３】
一方、表示装置に対するニーズも多様化し、自動車、列車等の車載機器、デジタルサイネージ、アミューズメント機器のディスプレイ等に利用される表示装置では、搭載される機器のデザインや設置された空間の雰囲気に溶け込みながら情報を自然に提供する湾曲形状のタッチスクリーン（以下、「湾曲タッチスクリーン」という。）への要求が高まっている。
【０００４】
従来の湾曲タッチスクリーンの例として、例えば、奥から手前に向けて凸状に湾曲したタッチスクリーンを有する操作パネルおよび当該操作パネルを備えた複合機（ＭＦＰ）が、特許文献１に開示されている。
【先行技術文献】
【特許文献】
【０００５】
【特許文献１】特開２００７−１２８４０８号公報
【発明の概要】
【発明が解決しようとする課題】
【０００６】
タッチスクリーンにおけるタッチ入力操作においては、指とスクリーンとの接触面積が、操作箇所によって異なる。湾曲タッチスクリーンでは、操作箇所による指とスクリーンとの接触面積の差異が平面タッチスクリーンよりも大きくなるため、平面タッチスクリーンにおけるタッチ入力操作とは、操作感が異なる。
特許文献１に記載の従来の湾曲タッチスクリーンの構成では、一律に凹、凸形状に湾曲させているので、湾曲タッチスクリーンにおけるタッチ操作の際に、爪が当たって反応しない、または腕の伸縮動作をスムーズに行いづらく、操作しづらいなどの課題を有していた。
【０００７】
本発明は、上記問題点に鑑み、よりタッチ操作しやすいタッチスクリーンを有する表示装置および、当該表示装置を備えた車両、電子看板、携帯型電子機器を提供することを目的とする。
【課題を解決するための手段】
【０００８】
上記目的を達成するために、本発明の一態様に係る表示装置は、画像を表示するとともにユーザからのタッチ入力を受付ける表示面を有するタッチスクリーンを備えた表示装置であって、前記表示面は、前記表示面の周縁における第１端部から、前記表示面の面積重心を挟んで前記第１端部と反対側の前記周縁に位置する第２端部に向かう方向に沿って湾曲しており、前記第１端部から前記第２端部に向かう方向に沿った曲率が一定で、前記第１端部を含んで変曲点を含まない第１表示領域と、前記第１表示領域の前記第２端部側に連設され、前記曲率が一定で変曲点を含まない第２表示領域と、を有し、前記第１表示領域と前記第２表示領域とは、一方が凹面で他方が凸面である第１条件と、前記曲率が互いに異なる第２条件との、少なくとも一方を満たすことを特徴とする。
【０００９】
また、別の態様では、前記タッチスクリーンは、可撓性を有し、前記タッチスクリーンの形状を維持する形状維持部材をさらに有してもよい。
また、別の態様では、前記第１表示領域は、凸面であり、前記第２表示領域は、凹面であってもよい。
また、別の態様では、前記第１表示領域および前記第２表示領域の一方は、平面であってもよい。
【００１０】
また、別の態様では、前記表示面は、前記第１端部から前記第２端部に向かう方向と直交する方向に沿って湾曲していなくてもよい。
また、別の態様では、前記第２表示領域は、前記第２端部を含んでもよい。
また、別の態様では、前記第１表示領域と前記第２表示領域とは、前記第１端部から前記第２端部へと向かう方向における長さが異なってもよい。
【００１１】
また、別の態様では、前記第１表示領域は、前記第２表示領域よりも、前記長さが長くてもよい。
また、別の態様では、前記第１表示領域の前記長さは、前記表示面の前記長さの１／２以上で３／４以下であってもよい。
また、別の態様では、前記第１表示領域の前記長さは、前記表示面の前記長さの１／４以上で１／２以下であってもよい。
【００１２】
また、別の態様では、前記第２表示領域の前記第２端部側に連設され、前記曲率が一定で変曲点を含まない第３表示領域を有し、
前記第２表示領域と前記第３表示領域とは、前記第１条件と前記第２条件の少なくとも一方を満たしてもよい。
また、別の態様では、前記第２表示領域は、平面でなく、前記第３表示領域は、平面であってもよい。
【００１３】
また、別の態様では、前記第３表示領域の前記第２端部側に連設され、前記曲率が一定で変曲点を含まない第４表示領域を有し、
前記第３表示領域と前記第４表示領域とは、前記第１条件と前記第２条件との少なくとも一方を満たしてもよい。
また、別の態様では、前記第１表示領域および前記第３表示領域が凸面であって、前記第２表示領域および前記第４表示領域が凹面であるか、または、前記第１表示領域および前記第３表示領域が凹面であって、前記第２表示領域および前記第４表示領域が凸面であってもよい。
【００１４】
また、別の態様では、前記表示面は、平面視で矩形状であり、前記矩形の対角線の長さが、１０インチ以上５０インチ以下であってもよい。
また、別の態様では、前記タッチスクリーンの外側において前記第１端部から前記第２端部へと向かう方向に沿って配され、前記タッチスクリーンとの間で信号のやり取りを行う複数の端子部を備え、前記複数の端子部は、前記表示面の変曲点を避けた位置に配置されていてもよい。
【００１５】
また、別の態様では、前記第１端部が上側、前記第２端部が下側となる姿勢で、車両内部に取り付けられていてもよい。
また、別の態様では、操作者が前記車両の運転席から前記表示面へのタッチ操作を行なうことが可能な位置に前記タッチスクリーンが位置するように、前記車両内部のコンソールパネルに取り付けられていてもよい。
【００１６】
また、別の態様では、前記コンソールパネルにおける前記タッチ操作を行うことが可能な位置において、前記第１端部は、前記車両のダッシュボードよりも低く、前記第２端部は、前記運転席の座面よりも高くてもよい。
また、別の態様では、ユーザ側から見た場合に、前記第１端部および前記第２端部の地面または床面からの高さが同じになるような状態において、前記第１端部が左側に位置する第１状態と、前記第１端部が右側に位置する第２状態との間で切り替え可能に、前記タッチスクリーンおよび前記筐体を含むパネル部を保持する回動部と、前記回動部を介して前記パネル部を地面または床面に対して支持する支持部と、前記パネル部の天地を検出する天地検出部と、前記天地検出部の検出結果に基づいて、前記表示部に正しい天地で画像を表示させる表示制御部と、を備えてもよい。
【００１７】
また、本発明の一態様に係る車両は、上記何れかの特徴を備えた表示装置を有することを特徴とする。
また、本発明の一態様に係る電子看板は、上記何れかの特徴を備えた表示装置を有することを特徴とする。
また、本発明の一態様に係る携帯型電子機器は、上記何れかの特徴を備えた表示装置を有することを特徴とする。
【発明の効果】
【００１８】
タッチスクリーンが平面や、一定の曲率の凸面、一定の曲率の凹面の場合には、表示面の箇所によっては、タッチ操作の際に表示面に爪が当たったり、操作時の腕の伸縮動作を円滑に行うことができなかったりして、操作しづらい場合がある。
本発明の一態様に係る表示装置の構成によれば、第１表示領域および第２表示領域が第１条件を満たす場合には、表示面に爪が当たりにくい形状や、腕の伸縮動作をより円滑に行うことができる形状とすることができる。また、第１表示領域および第２表示領域が第２条件を満たす場合には、一定の曲率の凸面や凹面、または平面タッチスクリーンの場合に操作しづらい箇所の曲率を変えて、爪が当たりにくい形状や、腕を動かしやすい形状にすることができる。これにより、第１表示領域および第２表示領域において、より操作しやすい表示装置を実現することができる。
【００１９】
また、上記の表示装置を備えた車両、電子看板、および携帯型電子機器として実現することもできる。
【図面の簡単な説明】
【００２０】
【図１】（ａ）は、縦置き起立で使用される表示装置を模式的に示す斜視図である。（ｂ）は、横置き起立で使用される表示装置を模式的に示す斜視図である。（ｃ）は、縦置き水平で使用される表示装置を模式的に示す斜視図である。（ｄ）は、横置き水平で使用される表示装置を模式的に示す斜視図である。
【図２】タッチ操作性評価試験におけるタッチ痕の代表例およびその評価判定を示す図である。
【図３】（ａ）は、縦置きの場合の表示装置のタッチ操作性評価試験の結果を示す図である。（ｂ）は、横置きの場合の表示装置のタッチ操作性評価試験の結果を示す図である。
【図４】サイズの違いによる表示装置のタッチ操作性評価試験の結果を示す図である。
【図５】曲率半径の違いによる表示装置のタッチ操作性評価試験の結果を示す図である。
【図６】（ａ）は、本発明の実施形態１に係る表示装置１００の斜視図である。（ｂ）は、表示装置１００の側面図である。
【図７】実施形態２に係る車両の内部の様子を示す要部斜視図である。
【図８】（ａ）は、実施形態３に係る表示装置の側面図である。（ｂ）は、実施形態４に係る表示装置の側面図である。
【図９】（ａ）は、実施形態５に係る表示装置の側面図である。（ｂ）は、操作者の指を模式的に表した側面図である。（ｃ）は、タッチスクリーンに操作者の指が接触している状態を模式的に表した側面図である。
【図１０】（ａ）は、実施形態６に係る表示装置６００を操作者が操作している様子を表す斜視図である。（ｂ）は、表示装置６００を操作者が操作しているところを上から見た上面図である。
【図１１】（ａ）は、実施形態７に係る表示装置７００を操作者が操作している様子を表す斜視図である。（ｂ）は、操作者が平面表示装置を操作しているところを上から見た上面図である。（ｃ）は、操作者が表示装置７００を操作しているところを上から見た上面図である。
【図１２】（ａ）は、実施形態８に係る表示装置を操作者が操作しているところを上から見た上面図である。（ｂ）は、実施形態９に係る表示装置を操作者が操作しているところを上から見た上面図である。
【図１３】（ａ）は、実施形態１０に係る表示装置を操作者が操作しているところを上から見た上面図である。（ｂ）は、実施形態１１に係る表示装置を操作者が操作しているところを上から見た上面図である。
【図１４】（ａ）は、実施形態１２に係る表示装置を操作者が操作しているところを上から見た上面図である。（ｂ）は、実施形態１３に係る表示装置を操作者が操作しているところを上から見た上面図である。
【図１５】（ａ）は、実施形態１４に係る表示装置１４００を左利きの操作者が操作しているところを上から見た上面図である。（ｂ）は、表示装置１４００を右利きの操作者が操作しているところを上から見た上面図である。（ｃ）は、表示装置１４００を後方側から見た斜視図である。
【図１６】実施形態１５に係る表示装置の内部構成を示す斜視図である。
【図１７】（ａ）は、変形例１に係る表示装置の側面図である。（ｂ）は、変形例２に係る表示装置の側面図である。
【図１８】（ａ）は、変形例３に係る表示装置の側面図である。（ｂ）は、変形例４に係る表示装置の側面図である。
【図１９】（ａ）は、変形例５に係る表示装置の側面図である。（ｂ）は、変形例６に係る表示装置の側面図である。
【図２０】（ａ）は、変形例９に係る表示装置を操作者が操作しているところを上から見た上面図である。（ｂ）は、変形例１０に係る表示装置を操作者が操作しているところを上から見た上面図である。
【発明を実施するための形態】
【００２１】
以下、本発明を実施するための形態を、図面を参照して詳細に説明する。なお、各図は、模式図であり、図面に示された部品等の各構成要素の形状や寸法および比等については、必ずしも厳密に図示したものではない。
≪タッチ操作性評価試験≫
（１．湾曲の向きおよび操作位置の操作感への影響についてのタッチ操作性評価試験）
（１−１．試験方法および試験条件）
操作性に優れた湾曲タッチスクリーンの開発にあたり、先ず、湾曲タッチスクリーンにおける操作性が、湾曲の向きや操作箇所によってどのように異なるのかを調べるために、本願発明者らはタッチ操作性評価試験を行った。
【００２２】
タッチ操作性評価試験の条件は、以下の通りである。
・試験体：曲率半径Ｒ＝５００ｍｍの凹面タッチスクリーン，曲率半径Ｒ＝５００ｍｍの凸面タッチスクリーン，平面タッチスクリーン（比較例として）；サイズ＝２０型（３つとも）
・設置の向き：縦置き（上下方向に沿って湾曲）（図１（ａ），（ｃ）参照），横置き（左右方向に沿って湾曲）（図１（ｂ），（ｄ）参照）
・設置態様：起立＝机の載置面上に立てて設置（図１（ａ），（ｂ）参照），水平＝机の載置面上に寝かせて設置（図１（ｃ），（ｄ）参照）なお、この場合の「起立」は、必ずしも載置面（または地面に対して垂直である必要はなく、載置面（または地面）に対して多少傾いていてもよい。また、ここでの「水平」は、必ずしも厳密に水平でなくてもよく、載置面（または地面）に対して多少傾いていてもよい。
・操作：タッチ操作，フリック操作
・操作箇所：縦置き＝上・中・下，横置き＝利き手逆側・中央・利き手側
・操作者：男性（爪短い、左利き），女性（爪４ｍｍ、右利き），女性（爪７ｍｍ、右利き）
・評価方法：タッチスクリーン保持板４１（図１６参照）に、タッチスクリーン１（図１６参照）の代わりに紙を貼り付け、当該紙をタッチスクリーン１に見立ててインクを付着させた指で操作を行い、操作痕を基に目視により判定。さらに、操作者に操作の感想を聞き取り調査。
【００２３】
なお、本明細書においては、「凹面」、「凸面」、「凹状」、「凸状」との用語は、タッチ操作時の操作者側から見た場合の凹凸を意味する。
代表的な操作痕と、その評価判定を、図２に示す。同図に示すように、タッチ操作の操作痕（以下、「タッチ痕」という。）については、円形に近い楕円形のタッチ痕を、指の腹全体で無理なく押すことができているとして、「○」（操作性良好）と判断した。また、爪の跡が付いているタッチ痕や、長楕円形のタッチ痕、インクの付着が少ないタッチ痕については、指の腹全体で押すことができていない、または、爪が当たって操作位置の不確実性が増すとして、「×」（操作性不良）と判断した。そして、そのどちらともいえないものについては、「△」（中程度の操作性）と判断した。
【００２４】
フリック操作の操作痕（以下、「フリック痕」という。）については、円形に近い楕円形の操作痕から短い尾が伸びている形状の操作痕を、指の腹全体で押した後に、指の移動に伴って指が円滑にスクリーンから離れることができているとして、「○」と判断した。また、尾の延びる方向がまっすぐではないものや、尾が徐々に細くなっているのではなく、急に途切れているもの、尾が長いものについては、指の移動に伴って指が円滑にスクリーンから離れることができていない、または、指の移動を円滑に行うことができていないとして、「×」と判断した。そして、そのどちらともいえないものについては、「△」と判断した。
【００２５】
なお、比較例として、平面タッチスクリーンについても、上記と同様のタッチ操作性評価試験を行い、上記と同様にして評価を行った。
縦置きの場合の湾曲の向きおよび操作位置の操作感への影響についてのタッチ操作性評価試験の結果を、図３（ａ）に示す。横置きの場合の湾曲の向きおよび操作位置の操作感への影響についてのタッチ操作性評価試験の結果を、図３（ｂ）に示す。なお、図３（ａ），（ｂ）に示す試験結果は、複数の操作者の操作痕それぞれについて上記の判定を行った後、それぞれのカテゴリーについて、当該複数の操作者の判定結果を総合的に判断した結果を示している。
【００２６】
（１−２．縦置き起立の試験結果）
図３（ａ）に示すように、縦置き起立の場合、平面スクリーンでも、上領域や下領域の操作感は良くないことがわかった。特に、爪が長い場合、上領域の操作時に爪がスクリーンに当たりやすいことがわかった。下領域の場合は、操作時の腕の伸縮動作がしづらいとの結果が得られた。一方、凹面スクリーンにおいては、上領域では、爪の影響が大きく、操作感は良くなかったが、下領域においては、平面よりも操作がしやすいとの結果が得られた。凸面スクリーンにおいては、上領域と中央領域では、３試験体の中で最も操作感が良好であったが、下領域における操作感は、３試験体の中で最も良くなかった。
【００２７】
以上の結果から、縦置き起立の場合は、上領域は凸面が、下領域は凹面が、操作感が良好で、中央領域は、凸面および平面が、操作感が良好であることがわかった。
（１−３．縦置き水平の試験結果）
縦置き水平の場合は、縦置き起立の場合ほど、全体的に操作しにくいということはなかったが、湾曲の向きおよび操作箇所によって操作感に若干の違いが観察された。平面スクリーンでは、下領域（手前側）になるほど、爪がスクリーンに当たりやすくなり、操作感が悪化する傾向が観察された。
【００２８】
一方、凹面スクリーンでは、上領域（奥側）ほど、爪がスクリーンに当たりやすく、操作感が悪化するという、平面とは逆の結果が得られた。
凸面スクリーンの場合は、爪の影響は少ないものの、上領域ほど操作者の目線との角度が小さくなって画面が見づらくなり、その結果、操作感が若干悪化するという結果となった。
【００２９】
以上の結果から、縦置き水平の場合は、上領域は平面が、下領域は凹面および凸面が、良好な操作感を示し、中央領域では、３試験体何れにおいても操作感が良好であることが分かった。
（１−４．横置き起立の試験結果）
図３（ｂ）に示すように、横置き起立の場合、平面スクリーンでは、利き手逆側領域で、タップ操作、フリック操作共に若干操作しづらいという結果が得られた。また、利き手側領域においても、タップ操作は操作感良好であったが、フリック操作は若干しづらいという結果となった。
【００３０】
一方、凹面スクリーンでは、利き手側領域においてタップ操作、フリック操作共に若干操作しづらいという結果が観察されたものの、利き手逆側領域および中央領域では、良好な操作感を示す結果となった。
凸面スクリーンでは、凹面スクリーンとは逆で、利き手逆側領域において操作性が良くないという結果が得られたが、利き手側領域ではタップ操作、フリック操作共に良好な操作感を示した。中央領域においては、タップ操作はしやすいが、フリック操作は若干しづらいという結果となった。
【００３１】
以上の結果から、横置き起立では、利き手逆側領域は凹面、利き手側領域は凸面が、操作感が良好で、中央領域では平面および凹面が、操作感が良好であることがわかった。
（１−５．横置き水平の試験結果）
横置き水平の場合は、平面スクリーンでは、操作位置に係らず、全体的に良好な操作感が得られた。凹面スクリーンでは、利き手逆側領域において、操作性が良好であったが、利き手側領域では、操作性があまり良くないという結果になった。凸面スクリーンでは、全体として操作位置に係らず良好な操作感が得られた。なお、凸面スクリーンでは、凹面スクリーンほどの操作感の差はないものの、利き手側領域と利き手逆側領域とで操作感に若干の違いが観察され、利き手側領域では、平面よりも良好な操作感が得られ、利き手逆側領域では、平面の方が操作感が良いという結果になった。中央領域については、３試験体の何れもが良好な操作感を示した。
【００３２】
（２．タッチスクリーンサイズの操作感への影響についてのタッチ操作性評価試験）
（２−１．試験方法および試験条件）
次に、同じ設置の向き、同じ設置態様、同じ湾曲の向きでも、タッチスクリーンのサイズが異なると操作感も異なることが考えられる。そこで、それぞれサイズが異なる複数のタッチスクリーンについて、タッチ操作性評価試験を行った。評価試験に供した試験体は、以下の通りである。
・凹面タッチスクリーン：曲率半径Ｒ＝５００ｍｍ、サイズ＝３．５型・１０型・２０型
・凸面タッチスクリーン：曲率半径Ｒ＝５００ｍｍ、サイズ＝３．５型・１０型・２０型・５０型
・平面タッチスクリーン（比較例）：サイズ＝３．５型・１０型・２０型・５０型
・設置態様：起立
・設置の向き：凹面タッチスクリーン＝縦置き、凸面タッチスクリーン＝横置き、平面タッチスクリーン＝縦置き・横置き
操作、操作箇所、操作者、および評価方法については、上記「１．湾曲の向きおよび操作位置の操作感への影響についてのタッチ操作性評価試験」の項目で説明した内容と同じである。
【００３３】
図４に、タッチスクリーンサイズの操作感への影響についてのタッチ操作性評価試験の結果を示す。図４においても、図３（ａ），（ｂ）と同様に、複数の操作者の操作痕それぞれについて操作性の判定を行った後、それぞれのカテゴリーについて、当該複数の操作者の判定結果を総合的に判断した結果を示している。
設置の向きや湾曲の向きに係らず、３．５型では何れの試験体においてもスクリーン全体に亘って良好な操作性が得られた。これは、３．５型はサイズが小さく、操作者が自らの指の動作をコントロールしやすい範囲内にスクリーンが収まっているため、形状や操作箇所に係らず、良好な操作性が得られたものと思われる。
【００３４】
（２−２．縦置きの試験結果）
縦置きの場合、サイズが大きくなるほど操作性が悪くなる傾向がみられた。上領域では、凹面よりも平面の方が良好な操作性が得られたが、下領域では、逆に平面よりも凹面の方が、操作性が良好であった。中央領域については、平面で良好な操作性を示した。凹面でも中央領域については比較的良好な操作性を示したが、タップ操作については、中程度の操作性であった。
【００３５】
（２−３．横置きの試験結果）
横置きの場合も、サイズが大きくなるほど操作性が悪くなる傾向がみられた。特に、利き手逆側領域については、凸面では１０型から操作性の悪化が顕著に観察された。平面でも、利き手逆側領域は、１０型から良好な操作性は見られなくなり、５０型においては、利き手側領域でも利き手逆側領域でも操作しにくいという結果になった。サイズの大きな２０型および５０型においては、利き手側領域における操作性が、平面よりも凸面の方が良いという結果になった。
【００３６】
以上の結果から、タッチスクリーンのサイズが小さい場合には、湾曲の向き、設置態様、操作箇所が操作性に及ぼす影響は小さく、サイズが大きいほど中領域および中央領域以外の操作性が悪化することがわかった。また、サイズが大きくなっても、縦置きの下領域では、平面よりも凹面の方が操作性が良好で、横置きの利き手側領域では、平面よりも凸面の方が操作性が良好であることがわかった。
【００３７】
（３．湾曲程度の操作感への影響についてのタッチ操作性評価試験）
（３−１．試験方法および試験条件）
同じ設置の向き、同じ設置態様、同じサイズでも、タッチスクリーンの湾曲の程度によって操作感が異なることが考えられる。そこで、それぞれ曲率半径が異なる複数のタッチスクリーンについて、タッチ操作性評価試験を行った。評価試験に供した試験体は、以下の通りである。
・湾曲の向き：凹面，凸面，平面（比較例）
・曲率半径：Ｒ＝２５０，５００，１０００，２０００〔ｍｍ〕，平面
・サイズ：２０型
・設置態様：起立
設置の向き、操作箇所、操作者、および評価方法については、上記「１．湾曲の向きおよび操作位置の操作感への影響についてのタッチ操作性評価試験」の項目で説明した内容と同じである。
【００３８】
図５に、湾曲程度の操作感への影響についてのタッチ操作性評価試験の結果を示す。図５においても、図３および図４と同様に、複数の操作者の操作痕それぞれについて操作性の判定を行った後、それぞれのカテゴリーについて、当該複数の操作者の判定結果を総合的に判断した結果を示している。
（３−２．縦置きの試験結果）
縦置きの凹面では、曲率半径が大きいほど、即ち、湾曲の程度が小さいほど、上領域および中領域では良好な操作感が得られたのに対し、下領域では逆に、曲率半径が小さいほど良好な操作感が得られるという結果になった。これに対して、次のような理由が考えられる。上領域では、曲率半径が小さいほど、操作者の視線とスクリーンとが成す角度が小さくなり、スクリーンが見づらくなるとともに、操作しづらくなることが考えられる。中領域では、曲率半径が小さいほど、上領域のスクリーンが覆いかぶさるような状態となり、タッチ操作がしづらくなることが考えられる。そして、下領域では、曲率半径が小さいほどスクリーンが水平面に近くなるため、操作がしやすくなることが考えられる。
【００３９】
縦置きの凸面では、曲率半径の違いによる違いはあまり大きくなかったが、下領域において、曲率半径が大きいほど操作性が若干よくなる傾向が見られた。また、上領域において、曲率半径が小さい試験体（Ｒ＝２５０ｍｍ）および曲率半径が大きな試験体（Ｒ＝２０００ｍｍ，平面）よりも、曲率半径が中程度の試験体（Ｒ＝５００，１０００ｍｍ）の方が若干良好な操作性を示した。中領域については、曲率半径の大きさに係らず、全ての試験体において良好な操作性が得られた。これに対して、次のような理由が考えられる。上領域では、曲率半径が小さいとスクリーンがより水平に近い状態となり、操作者の目線に近い部分であるため、スクリーンが見づらくなり操作しづらくなることが考えられる。下領域では、曲率半径が小さいほどスクリーンが垂直に近くなる、または、手前側に傾斜した状態となって、スクリーンが見づらいうえに、爪が当たって操作しづらくなることが考えられる。これに加えて、下領域では、曲率半径が小さいほど中領域のせり出しが大きくなり、タッチ操作の障害になることも考えられる。
【００４０】
以上の結果から、縦置きの場合は、上領域は、曲率半径が中程度（Ｒ＝５００，１０００ｍｍ）の凸面であれば良好な操作性が得られることがわかった。また、中領域は、平面であるか、または曲率半径に係らず凸面であれば良好な操作性が得られることがわかった。下領域は、曲率半径の小さな（Ｒ＝２５０，５００ｍｍ）凹面の場合に良好な操作性が得られることがわかった。
【００４１】
（３−３．横置きの試験結果）
横置きの凹面では、曲率半径が小さいほど、即ち、湾曲の程度が大きいほど、利き手逆側領域における操作性が良いという結果になった。利き手側領域では、逆に曲率半径が大きいほど若干操作しやすいという結果が得られた。中央領域については、Ｒ＝２５０ｍｍの場合にフリック操作が若干しづらい点を除いては、曲率半径に係らず、良好な操作性を示した。
【００４２】
横置きの凸面では、利き手逆側領域において、曲率半径が小さい、即ち、湾曲の程度が大きいほど、若干操作しづらい傾向がみられた。中央領域においては、概して良好な操作性が得られ、フリック操作においては、曲率半径の大きな試験体ほど若干良好な操作性を示した。利き手側領域においては、曲率半径の小さい試験体（Ｒ＝２５０ｍｍ）や大きな試験体（Ｒ＝２０００ｍｍ，平面）に比べて、曲率半径が中程度の試験体（Ｒ＝５００，１０００ｍｍ）の方が、操作性が若干良いという結果になった。
【００４３】
また、曲率半径に係らず、利き手逆側領域においては、凸面よりも凹面の方が良好な操作性を示し、利き手側領域においては、凹面よりも凸面の方が良好な操作性を示す傾向が見られた。
横置きの場合は、縦置きの場合と比較して、曲率半径の違いによる操作性の差異は全体的に小さい結果となった。
【００４４】
以上の結果より、横置きの場合は、利き手逆側領域は、曲率半径の小さい凹面であれば良好な操作性が得られることが分かった。中央領域は、曲率半径や湾曲の向きに係らず、概ね良好な操作性が得られるが、曲率半径の小さな凹面（Ｒ＝１５０ｍｍ）および曲率半径の小さな凸面（Ｒ＝２５０，５００ｍｍ）以外であれば、若干ではあるがより良好な操作性が得られることがわかった。利き手側領域は、曲率半径が中程度（Ｒ＝５００，１０００ｍｍ）の凸面であれば、良好な操作性が得られることが分かった。
【００４５】
なお、曲率半径が小さくなると、条件によっては、縦置き横置きに係らず、タッチ操作の際に手首を大きく曲げなくてはならない事態や、スクリーンが見えづらい角度になる事態などが発生し、操作性しづらくなる場合もある。
≪実施形態≫
以上説明したように、本願発明者らが行ったタッチ操作性評価試験によると、一律の曲率で一様に凸状または凹状に湾曲したタッチスクリーンおよび平面タッチスクリーンにおいて、設置の向きおよび操作箇所によっては、操作しづらい場合があることがわかった。そこで、これらのタッチスクリーンの操作しづらい箇所に、より良好な操作感が得られる形状を適用することにより、タッチスクリーンの全体に亘って（操作位置に係らず）操作しやすい表示装置を実現することができると考えられる。
【００４６】
上記タッチ操作性評価試験の結果を基に本願発明者らが考案した、タッチスクリーンの全体に亘って操作しやすい形状を有する表示装置について、以下に、説明する。
先ずは、縦置きの場合の表示装置について説明する。
≪実施形態１≫
図６（ａ）は、本発明の実施形態１に係る表示装置１００の概略構成を示す斜視図である。図６（ｂ）は、表示装置１００の概略構成を示す側面図である。
【００４７】
図６（ａ），（ｂ）に示すように、表示装置１００は、湾曲した形状をしている。表示装置１００は、液晶パネルや有機ＥＬ（Ｅｌｅｃｔｒｏ−Ｌｕｍｉｎｅｓｃｅｎｃｅ）パネル等の公知の画像表示装置（ディスプレイ）と、ユーザのタッチ操作を検出し、タッチ操作による情報の入力（タッチ入力）を受付ける公知の位置入力装置（タッチセンサ）とが重ねられて形成された所謂タッチスクリーン１を有する。画像表示装置および位置入力装置は、共に、可撓性を有する基板を用いて形成されており、タッチスクリーン１も可撓性を有する。これらについては公知であるので、説明を省略する。表示装置１００は、湾曲した形状のタッチスクリーン保持板４１（図１６参照）上にタッチスクリーン１が貼り付けられ、これらが筐体２０に保持された構成を有している。
【００４８】
タッチスクリーン１の周縁部分およびタッチスクリーン保持板４１側は筐体２０により覆われており、外部に露出している部分が、画像を表示し、ユーザのタッチ入力を受付ける表示面１０である。筐体２０は、金属や木材、プラスチック等の材料から形成されている。タッチスクリーン保持板４１および筐体２０は、タッチスクリーン１の湾曲形状を維持する形状維持部材としての役割も果たしている。また、タッチスクリーン保持板４１および筐体２０のどちらか一方のみが、タッチスクリーン１の湾曲形状を維持する形状維持部材の役割を果たしてもよい。さらには、タッチスクリーン保持板４１と筐体２０とが一体となっていてもよい。またさらに、これら以外に、形状維持部材としてタッチスクリーン１の湾曲形状を維持する別部材を設けてもよい。
【００４９】
なお、筐体２０は、タッチスクリーン１の湾曲に沿った湾曲形状をしており、側面視において、タッチスクリーン１および表示面１０の湾曲形状と一致した湾曲形状となっている。従って、図６（ｂ）においては、実際は筐体２０の湾曲形状が示されているが、これを、タッチスクリーン１および表示面１０の湾曲形状を示しているものとして扱う。以下、他の図面においても側面図を示す場合は、同様である。
【００５０】
表示面１０は、その周縁１１における上側の辺の中央に位置する第１端部１１ａから、下側の辺の中央に位置する第２端部１１ｂに向かう方向（図６（ａ）においては、一点鎖線Ｌ１で示している。）に沿って湾曲した形状を有している。表示面１０は、上側（第１端部１１ａ側）が、凸面である第１表示領域１０ａであり、下側（第２端部１１ｂ側）が、凹面である第２表示領域１０ｂである。（即ち、タッチスクリーン１が上記形状に湾曲している。）第１表示領域１０ａおよび第２表示領域１０ｂの湾曲の曲率半径は、例えば、共にＲ＝５００〔ｍｍ〕であるが、これに限られない。同一表示領域内が一定の曲率半径（曲率）であれば、別の曲率半径でもよい。なお、一定の曲率半径には、平面（曲率半径が無限大、曲率が０）も含む。
【００５１】
なお、第２端部１１ｂは、表示面１０の面積重心Ｃを挟んで第１端部１１ａと反対側に位置している。また、第１端部１１ａおよび第２端部１１ｂは、それぞれ周縁１１の上側の辺および下側の辺の中央としたが、これに限られない。平面視において、表示面１０の面積重心を通る直線Ｌ１と表示面１０の周縁との２交点を、それぞれ第１端部および第２端部としてもよい。その場合は、線Ｌ１に沿って表示面１０（タッチスクリーン１）は湾曲していることとなる。以下、特に断りが無い限り、表示面の湾曲が沿っている方向の線（平面視においては直線）をＬ１とする。
【００５２】
ここでは、表示面１０の長辺と線Ｌ１とが平行である、即ち、長辺方向に沿って表示面１０（タッチスクリーン１）は湾曲しているが、これに限られない。短辺方向に沿って表示面１０（タッチスクリーン１）が湾曲していてもよい。その場合は、第１端部と第２端部は、周縁１１の左右の辺上にそれぞれ位置する。
なお、タッチスクリーン１は、表示面１０において、上記のように線Ｌ１に沿って湾曲していればよく、筐体２０により覆われている周縁部（表示面１０の外側部分）については、必ずしも上記のように湾曲していなくてもよい。
【００５３】
また、図６（ａ），（ｂ）において、一点鎖線Ｌ２は、第１表示領域１０ａと第２表示領域１０ｂとの境界を示しており、表示面１０の変曲点を結んでできる線である。図６（ｂ）では、境界線Ｌ２は、わかりやすく示すために表示面１０に直交する線として表している。以下、図面に側面図を示す場合、境界線については、同様にして表示する。
表示装置１００のサイズは、例えば、２０型であるが、これに限られない。また、表示装置１００では、第１表示領域１０ａおよび第２表示領域１０ｂの線Ｌ１方向における長さは、略等しい。以下、線Ｌ１方向における長さを、単に「長さ」という。
【００５４】
このように、表示装置１００は、縦置きで使用された場合に、上側（第１端部１１ａ側）の第１表示領域１０ａが凸面、下側（第２端部１１ｂ側）の第２表示領域１０ｂが凹面で構成されている。
上記タッチ操作性評価試験によると、縦置きの場合、凹面では上領域において、操作しにくいという結果になった。これは、凹面の上領域では、表示面と操作者との距離が近づくため、指の腹よりも先に爪が当たりやすくなるためであることがわかった。特に爪の長い女性が操作する場合、タッチセンサが反応せず操作性を大きく損なう原因となる。
【００５５】
また、凸面では操作位置が下方になるに従い、表示面が床または机の載置面に対して垂直に近くなるため（起立の場合）、手首を手の甲側に大きく曲げる様にしないと指を接触させることができなくなることが分かった。
本実施形態に係る表示装置１００の構成によると、第１表示領域１０ａが凸面であることにより、上領域においても爪が当たりにくく、操作がしやすくなる。さらに、第２表示領域１０ｂが凹面であることにより、中領域から下領域にかけても、指の腹をタッチスクリーンに接触させやすくなり、操作がしやすくなる。
【００５６】
これにより、起立の場合、表示装置１００は、平面や一律に湾曲した凸面または凹面形状の表示面を備えた表示装置よりも、表示面１０の全体に亘って良好な操作性を実現することができる。
本実施形態に係る表示装置１００においては、第１表示領域１０ａが凸面で、第２表示領域１０ｂが凹面であった。このように、隣り合う２つの表示領域の一方が凸面で、他方が凹面であることを、第１条件とする。
【００５７】
≪実施形態２≫
図７は、本発明の実施形態２に係る車両２００の内部における要部を模式的に示す斜視図である。
なお、説明の重複を避けるため、既に説明した実施形態（ここでは、実施形態１）と同じ構成要素については、同符号を付して、その説明を省略する。以下、各実施形態および各変形例においても、同様である。
【００５８】
車両２００のセンターコンソール（コンソールパネル）２には、実施形態１に係る表示装置１００が取り付けられている。
センターコンソール２は、運転席と助手席間の車幅方向の中央から車室の底部にかけての部分である。一般に、センターコンソールには、ナビゲーションシステム、車内空調、オーディオ等の機能を有する装置が配置されており、タッチスクリーンを備えた表示装置が設置されることも多い。また、センターコンソールに搭載される表示装置におけるディスプレイの大型化に伴い、インテリアデザインにしっくりなじむような湾曲形状を有することも望まれている。
【００５９】
表示装置１００は、センターコンソール２に縦置きで配置されており、センターコンソール２において操作者が運転席からタッチ操作を容易に行なうことが可能な位置に配置されている。操作性の観点から、表示装置１００は、センターコンソール２において、第１端部１１ａがダッシュボードよりも低く、第２端部１１ｂが座席よりも高くなる位置に取り付けられることが望ましい。
【００６０】
車載における入力操作においては、運転しながらの動作も起こりうるため、車載用途の表示装置では、操作性の良さが特に重要である。それと同時に、自動車は、外観デザインとともに内装デザインも重要視されるため、車載用途の表示装置には、車内の雰囲気に自然に溶け込むことができるデザイン性も求められる。実施形態１に係る表示装置１００を車載に応用することにより、操作性とデザイン性とを両立することが可能となる。
【００６１】
曲率半径は、用途によっても最適な値は異なるが、車載用途の場合、操作性の観点からＲ５００〜２０００〔ｍｍ〕程度が望ましい。
≪実施形態３≫
実施形態１（および実施形態２）に係る表示装置１００の表示面１０は、第１表示領域１０ａと第２表示領域１０ｂとを備えていたが、これに限られない。
【００６２】
図８（ａ）は、実施形態３に係る表示装置３００の側面図である。同図に示すように、表示装置３００の表示面３１０は、上側（第１端部側）から下側（第２端部側）に向かって順に、第１表示領域３１０ａ、第２表示領域３１０ｂ、および第３表示領域３１０ｃを有する。
第１表示領域３１０ａは、凸面である。第２表示領域３１０ｂは、平面である。第３表示領域３１０ｃは、凹面である。
【００６３】
図３（ａ），（ｂ）に示すタッチ操作性評価試験の結果によると、上領域は凸面が、中領域は平面および凸面が、下領域は凹面が、それぞれ最も良好な操作性を示した。従って、本実施形態に係る表示装置３００の構成によると、上記最も良好な操作性を示した組み合わせに当てはまっているため、表示装置３００によっても表示面の全体に亘って良好な操作性を実現することができる。
【００６４】
本実施形態に係る表示装置３００においては、第１表示領域３１０ａが凸面で、第２表示領域３１０ｂが平面であった。このように、隣り合う２つの表示領域の曲率（曲率半径）が異なっていることを、第２条件とする。表示装置３００においては、第２表示領域３１０ｂ（平面）および第３表示領域３１０ｃ（凹面）も、第２条件を満たす関係である。
≪実施形態４≫
図８（ｂ）は、実施形態４に係る表示装置４００の側面図である。同図に示すように、表示装置４００の表示面４１０は、上側（第１端部側）から下側（第２端部側）に向かって順に、第１表示領域４１０ａ、第２表示領域４１０ｂ、および第３表示領域４１０ｃを有する。
【００６５】
第１表示領域４１０ａは、凸面である。第２表示領域４１０ｂは、凹面である。第３表示領域４１０ｃは、平面である。
本実施形態に係る表示装置４００の構成によると、第１表示領域４１０ａが凸面であることにより、上領域でも爪が当たりにくく、操作性が良好である。さらに、第２表示領域４１０ｂが凹面であることにより、中領域から下領域にかけても、指の腹をタッチスクリーンに接触させやすくなり、操作性が良好である。
【００６６】
下領域に設けられた平面である第３表示領域４１０ｃは、第２表示領域が凹面であるため、水平面に近い角度となっている。ここで、下領域において、横方向のフリック操作は、肘を中心に指先を水平方向に円を描くように動かせばよいので、動作が容易である。ところが、縦方向のフリック操作を行う場合は、肩を中心に前後方向または上下方向に腕全体を動かさなくてはならない。このとき、表示装置４００では、第３表示領域４１０ｃが水平に近い平面であるため、肘を単純に前後に動かす動作で容易にフリック動作を行うことができ、操作性が良好である。
【００６７】
本実施形態に係る表示装置４００の構成によっても、表示面４１０の全体に亘り、操作者の指と表示面４１０とが無理なく接触することが可能となり、良好な操作性を提供することができる。
なお、表示装置４００のサイズは、特に限定されるわけではないが、例えば、２０型である。その場合、第３表示領域４１０ｃの長さは、１０ｍｍから１００ｍｍ程度が好適である。タッチ操作する際に、第３表示領域４１０ｃには少なくとも指でタッチ可能な長さが必要であり、その長さは、具体的には、例えば１０ｍｍ程度であると考えられる。また、車載用途に用いられる場合、第３表示領域４１０ｃの長さは、１００ｍｍ程度が好適であると考えられる。第３表示領域の長さがあまり長くなると、相対的に第１表示領域および第２表示領域の長さが短くなり、それに伴って第１表示領域および第２表示領域の湾曲がきつくなって、操作性を損なう場合があると考えられる。
【００６８】
また、操作性向上の観点から、第３表示領域４１０ｃは平面としたが、その限りではなく、表示装置が設置される周囲のデザインに合わせて湾曲していてもよい。その場合、上記の理由から、できるだけ曲率半径の大きな（湾曲の緩やかな）凹面や凸面であることが望ましい。
≪実施形態５≫
実施形態１に係る表示装置１００においては、第１表示領域と第２表示領域の線Ｌ１方向における長さは略等しかったが、これに限られない。
【００６９】
図９（ａ）は、実施形態５に係る表示装置５００の側面図である。同図に示すように、表示装置５００の表示面５１０においては、第１表示領域５１０ａと第２表示領域５１０ｂとで長さが異なっている。
図９（ｂ）は、操作者の指を模式的に表した側面図である。同図に示すように、操作者の指Ｆを長方形とし、その上辺から外方に直線状に爪Ｎが延出していると単純化して考えることができる。図９（ｃ）は、タッチスクリーン（の表示面）ＴＳに操作者の指Ｆが接触している状態を模式的に表した側面図である。指先端Ｆ１から爪先端Ｎ１までの長さをＸ〔ｍｍ〕、指Ｆの厚みをＹ〔ｍｍ〕、指の腹の先端Ｆ２および爪先端Ｎ１がタッチスクリーンＴＳに接触している場合における、指先端Ｆ１と指の腹の先端Ｆ２とを結ぶ直線とタッチスクリーンＴＳとがなす角度をθとする。例えば、Ｘ＝３〔ｍｍ〕、Ｙ＝８〔ｍｍ〕とした場合、θ＝２０．５５°となる。従って、２０．５５°＜θであれば、タッチスクリーンに爪が当たらず、良好な操作性が得られるが、（爪Ｎが無ければ）θ≦２０．５５°となるような場合は、タッチスクリーンに爪が当たり、良好な操作性が得られない。
【００７０】
凸面の第１表示領域と凹面の第２表示領域とから成る表示面を有する表示装置を用いて発明者らが行ったタッチ操作性評価試験において、第１表示領域の長さが、第２表示領域の長さよりも長い方が操作しやすいことが分かった。さらに第１表示領域の長さが、表示面全体の長さの１／２以上３／４以下の範囲内であることが望ましいことも分かった。
この理由としては、第１表示領域の長さが表示面全体の長さの１／２よりも小さい場合には、中領域の少なくとも下半分は凹面となる。さらに、第１表示領域の長さが全体の長さの１／３よりも小さい場合には、上領域の一部も凹面となる。タッチスクリーンの上領域や中領域が凹面である場合、当該部分は垂直に近くなる。即ち、上記の指Ｆ、爪Ｎ、およびタッチスクリーンＴＳの関係において、角度θが２０．５５°よりも小さくなる方向にタッチスクリーンが立つ（垂直に近づく）ため、爪がタッチスクリーンに当たりやすくなり、良好な操作性が得られない。
【００７１】
また、第１表示領域の長さが表示面全体の長さの３／４よりも大きい場合には、下領域の上側の部分が凸面となり、当該部分は垂直に近くなる。すると、上記と同様の理由から爪がタッチスクリーンに当たりやすくなり、良好な操作性が得られない。さらには、垂直に近いタッチスクリーンに爪が当たらないようにするには、手の甲側に手首を曲げる必要があるが、タッチスクリーンの下側を操作する場合、上側を操作する場合と比較して、手首をより大きく曲げる必要がある。従って、良好な操作性が得られにくくなる。
【００７２】
本実施形態に係る表示装置５００の構成によれば、凸面の第１表示領域と凹面の第２表示領域とから成る表示面５１０を有し、第１表示領域の長さが、第２表示領域の長さよりも長い。これにより、表示面全体に亘って操作者の指と表示面とが無理なく接触することが可能となり、タッチ操作性の向上を図ることができる。
続いて、横置きの場合の表示装置について説明する。
【００７３】
≪実施形態６≫
図１０（ａ）は、実施形態６に係る表示装置６００を操作者が操作している様子を模式的に示す斜視図であり、図１０（ｂ）は、それを上から見た図である。両図に示すように、表示装置６００は、横置きで使用され、例えば、広告や案内情報等を表示するサイネージ等の用途に使用される。表示装置６００は、表示面６１０の周縁６１１における操作者側から見て向かって右側の辺の中央に位置する第１端部６１１ａから、向かって左側の辺の中央に位置する第２端部６１１ｂに向かう方向（図１０（ａ）においては、一点鎖線Ｌ１で示している。）に沿って湾曲した形状を有している。第１端部６１１ａおよび第２端部６１１ｂは、表示装置６００が設置されている場所の地面または床面からの高さが同じである。ここで、高さが「同じ」であるとは、厳密に同じである場合に限られず、若干異なっている場合も「同じ」に含む意味として用いている。言い換えれば、表示装置としての実際の使用に耐えうる程度であれば、表示装置が多少右や左に傾いていてもよく、そのような場合も、第１端部と第２端部の高さが同じであるとする。また、設置された場所の地面や床面が傾斜している場合に、その傾斜に沿うように表示装置６００が傾いて設置されている場合も、第１端部と第２端部の高さが同じであるとする。この場合も、２つの高さ位置が厳密に同じでなくてもよい。
【００７４】
表示面６１０は、向かって右側（第１端部６１１ａ側）が、凸面である第１表示領域６１０ａであり、中央部が、平面である第２表示領域６１０ｂであり、向かって左側（第２端部６１１ｂ側）が、凹面である第３表示領域６１０ｃである。第１表示領域６１０ａおよび第３表示領域６１０ｃの湾曲の曲率半径は、例えば、共にＲ＝５００〔ｍｍ〕であるが、これに限られない。同一表示領域内が一律の曲率半径（曲率）であれば、別の曲率半径でもよい。表示装置６００のサイズは、例えば、５０型であるが、これに限定されるものではない。
【００７５】
本願発明者らによる、タッチ操作性評価試験において、横置きの場合、凹面タッチスクリーンでは、利き手側領域でタップ操作、フリック操作共に若干操作しづらく、平面タッチスクリーンは、フリック操作が若干しづらいということがわかった。
その理由として、次のようなことが考えられる。平面タッチスクリーンの中央に操作者が立って操作する場合、操作者と表示面との距離は、表示面の両端に行くほど遠くなる。しかし、利き手側領域においては、特に左右方向のフリック操作を行う際には、指を左右に動かす動作とともに、腕の伸縮動作を行う必要がある。このとき、左右方向の動作と腕の伸縮動作とのタイミングやバランスがうまくとれないと、指が表示面からスムーズに離れずに、フリック操作を上手く行うことができない。凹面タッチスクリーンの中央に操作者が立って操作する場合は、操作者と表示面との距離は、表示面が凹状に湾曲しているため、表示面の両端に行っても平面の場合ほど遠くはならない。そのため、利き手側領域において、特に右にはじくようにフリック操作を行う場合には、操作者が腕を伸ばすと表示面に指が当たって、指が止まったりして操作しづらくなることが考えられる。
【００７６】
凸面タッチスクリーンでは、利き手側領域でタップ操作、フリック操作共に良好な操作性が得られた。これは、特に右にはじくようにフリック操作行う場合、腕を斜め右に伸ばす動作をすると、表示面の凸形状により自然と指が表示面から離れることが、操作のしやすさに繋がったと考えられる。
一方、利き手逆側領域においては、タップ操作、フリック操作共に、凹面、平面、凸面の順で操作性が良好であった。利き手逆側領域を利き手で操作する場合、腕を反対側にもっていかなくてはならず、そもそも動作が制限される。特に左右方向の動きはしづらい。その場合に、凹面タッチスクリーンであれば、操作者と表示面との距離が、表示面の両端に行っても平面の場合ほど遠くはならないため、操作しやすいことが考えられる。逆に、凸面タッチスクリーンの場合は、操作者と表示面との距離が、表示面の両端に行くほど平面の場合よりも遠くなり、より一層操作しづらくなると考えられる。
【００７７】
本実施形態に係る表示装置６００の構成によると、操作者が表示面６１０の中央に立って操作する場合、利き手側領域である第１表示領域６１０ａが凸面、中央領域である第２表示領域６１０ｂが平面、利き手逆側領域である第３表示領域６１０ｃが凹面で構成されているため、表示面６１０全体に亘って操作しやすい表示装置を実現することができる。
サイネージ用ディスプレイでは広告を見るだけでなく、通行人がタッチ操作を行って情報を検索することができるなど、インタラクティブなサイネージが増えている。本実施形態に係る表示装置６００の構成により、そのようなサイネージの利用者の利便性に資することができる。
【００７８】
なお、本実施形態においては、操作者の利き手が右手であると想定し、第１表示領域６１０ａを凸面で、第３表示領域６１０ｃを凹面で構成した例を示したが、操作者の利き手が左手の場合は、逆の方が望ましい。即ち、左利きの操作者の利き手側である第３表示領域６１０ｃが凸面で、利き手逆側である第１表示領域６１０ａが凹面で構成されるのが望ましい。
【００７９】
また、第２表示領域６１０ｂは、操作者正面における見易さから平面としたが、その限りではない。第２表示領域６１０ｂを凹面としてもよい。本願発明者らによるタッチ操作性評価試験の結果によると、凸面タッチスクリーンであっても、中央領域は、フリック操作において中程度の操作性であったが、タップ操作については、良好な操作性であった。従って、第２表示領域６１０ｂを凸面としても、操作性はそれほど悪化しないと考えられる。
【００８０】
≪実施形態７≫
図１１（ａ）は、実施形態７に係る表示装置７００を操作者が操作している様子を模式的に示す斜視図である。表示装置７００の表示面７１０は、凸面である第１表示領域７１０ａと、凹面である第２表示領域とから成る。
図１１（ｂ）は、操作者が平面タッチスクリーンを操作しているところを上から見た模式図である。操作者が右利きで、平面タッチスクリーンＦＴＳの中心から操作すると仮定した場合、操作者と平面タッチスクリーンＦＴＳの表示面の中心との距離をＶ１〔ｍｍ〕とする。また、左右の端の方を操作する際の操作者と平面タッチスクリーンＦＴＳの表示面との距離をＶ２〔ｍｍ〕とし、その時に、半径Ｖ１の仮想円弧Ａ（図１１（ｂ）において破線で示す。）と、平面タッチスクリーンＦＴＳの表示面との距離をＷ〔ｍｍ〕とする。
【００８１】
操作者がタッチスクリーンをタッチ操作する際、平面では中心から左右方向に離れるに従って、操作者とタッチスクリーンまでの距離は大きくなる、すなわち、Ｖ１＜Ｖ２となる。本願発明者らの調査により、ＷがＶ１に対して５〜８％程度の大きさとなると、操作者は操作に違和感を覚えることが分かった。例えば、Ｖ１＝５００〔ｍｍ〕とした時、Ｗが２５〜４０〔ｍｍ〕となると、表示面が遠く感じて操作しづらくなる。
【００８２】
図１１（ｃ）は、操作者が表示装置７００を操作しているところを上から見た模式図である。表示装置７００の表示面７１０において、第１表示領域７１０ａの長さは、表示面７１０全体の長さの１／４以上で１／２以下である。従って、第２表示領域７１０ｂの長さは、表示面７１０全体の長さの１／２以上で３／４未満である。かかる構成によれば、表示面７１０全体の長さの１／２〜３／４を占める凹面形状の第２表示領域７１０ｂを、できるだけ仮想円弧Ａに沿うような形状とすることにより、操作しやすくなる。そして、凸面形状の第１表示領域７１０ａの長さが、表示面７１０全体の長さの１／４〜１／２であるにより、Ｖ１とＶ２間の距離差が縮小し、即ち、ＷがＶ１の５％未満となり、操作の際の違和感を軽減してタッチ操作性の向上を図ることができる。第１表示領域７１０ａの長さが、表示面７１０全体の長さの１／２よりも大きいと、表示面７１０の右端において、Ｗの値が大きくなり、違和感が大きくなる。第１表示領域７１０ａの長さが、表示面７１０全体の長さの１／４よりも小さいと、凹面である第２表示領域７１０ｂの影響が大きくなって腕の伸縮動作がしづらくなり、第１表示領域７１０ａを凸面形状とすることのメリットが小さくなる。
【００８３】
なお、操作者が、同じ場所に立ち止まったまま移動せずに操作を行うことができる現実的なサイズとしては、１０〜４０型程度の画面サイズが望ましいが、その限りではない。
≪実施形態８≫
図１２（ａ）は、実施形態８に係る表示装置８００を２人の操作者Ｕ１およびＵ２が操作している様子を上から見た模式図である。同図に示すように、表示装置８００の表示面８１０は、凸面の第１表示領域８１０ａ、平面の第２表示領域８１０ｂ、凹面の第３表示領域８１０ｃ、凸面の第４表示領域８１０ｄ、平面の第５表示領域８１０ｅ、凹面の第６表示領域８１０ｆから構成されている。そして、表示装置８００を、２人の操作者Ｕ１，Ｕ２が横に並んで操作している。操作者Ｕ１および操作者Ｕ２は、共に右利きである。操作者Ｕ１は、第１表示領域８１０ａ、第２表示領域８１０ｂ、および第３表示領域８１０ｃを使用しており、操作者Ｕ１にとっては、これら３つの表示領域で１つの表示装置として機能している。操作者Ｕ２は、第４表示領域８１０ｄ、第５表示領域８１０ｅ、および第６表示領域８１０ｆを使用しており、操作者Ｕ２にとっては、これら３つの表示領域で１つの表示装置として機能している。
【００８４】
ここで、操作者Ｕ１にとって１つの表示装置として機能している第１表示領域８１０ａ、第２表示領域８１０ｂ、第３表示領域８１０ｃの形状は、図１０（ａ），（ｂ）に示す実施形態６に係る表示装置６００と同様である。また、操作者Ｕ２にとって１つの表示装置として機能している第４表示領域８１０ｄ、第５表示領域８１０ｅ、第６表示領域８１０ｆの形状も、表示装置６００と同様である。従って、それぞれの操作者に対して、表示装置６００と同様に良好な操作性を提供することができる。
【００８５】
このように、表示装置８００は、複数の操作者が横に並んで同時に操作することができ、且つ、それぞれの操作者に対して良好な操作性を提供することができる。
なお、第６表示領域８１０ｆの左側に表示装置６００と同様の形状の表示領域を追加することにより、３人以上の操作者が並んで同時に操作可能な表示装置とすることもできる。
【００８６】
≪実施形態９≫
図１２（ｂ）は、実施形態９に係る表示装置９００を、２人の操作者Ｕ１およびＵ２が操作している様子を上から見た模式図である。本実施形態においては、操作者Ｕ１およびＵ２は、共に左利きである。表示装置９００の表示面９１０は、凹面の第１表示領域９１０ａ、平面の第２表示領域９１０ｂ、凸面の第３表示領域９１０ｃ、凹面の第４表示領域９１０ｄ、平面の第５表示領域９１０ｅ、凸面の第６表示領域９１０ｆから構成されている。そして、表示装置９００を、２人の操作者Ｕ１，Ｕ２が横に並んで操作している。操作者Ｕ１は、第１表示領域９１０ａ、第２表示領域９１０ｂ、および第３表示領域９１０ｃを使用しており、操作者Ｕ１にとっては、これら３つの表示領域で１つの表示装置として機能している。操作者Ｕ２は、第４表示領域９１０ｄ、第５表示領域９１０ｅ、および第６表示領域９１０ｆを使用しており、操作者Ｕ２にとっては、これら３つの表示領域で１つの表示装置として機能している。
【００８７】
ここで、操作者Ｕ１にとって１つの表示装置として機能している第１表示領域９１０ａ、第２表示領域９１０ｂ、第３表示領域９１０ｃの形状は、図１０（ａ），（ｂ）に示す実施形態６に係る表示装置６００を左右反転させた形状である。表示装置６００は、右利きの操作者にとって操作しやすい形状であるため、それを左右反転させた形状は、左利きの操作者にとって操作しやすい形状となる。従って、本実施形態に係る表示装置９００は、複数（本実施形態では２人）の操作者が横に並んで同時に操作することができ、且つ、共に左利きの操作者それぞれに対して良好な操作性を提供することができる。
【００８８】
≪実施形態１０≫
図１３（ａ）は、実施形態１０に係る表示装置１０００を、２人の操作者Ｕ１およびＵ２が操作している様子を上から見た模式図である。本実施形態においては、操作者Ｕ１およびＵ２は、共に右利きである。
表示装置１０００の表示面１０１０は、凸面である第１表示領域１０１０ａ、凹面である第２表示領域１０１０ｂ、凸面である第３表示領域１０１０ｃ、凹面である第４表示領域１０１０ｄから構成されている。これは即ち、図１２（ａ）に示す実施形態８に係る表示装置８００から平面の表示領域を取り除いた構成に相当する。
【００８９】
表示装置１０００の構成によっても、操作者Ｕ１および操作者Ｕ２にとって、それぞれの利き手側領域である第１表示領域１０１０ａおよび第３表示領域１０１０ｃが凸面となっており、それぞれの利き手逆側領域である第２表示領域１０１０ｂおよび第４表示領域１０１０ｄが凹面となっているため、利き手側領域および利き手逆側領域において、良好な操作性を提供することができる。加えて、平面の表示領域を取り除いた分、表示装置全体の長さを短くすることができ、スペースが限られた場所においても利用することができる。
【００９０】
≪実施形態１１≫
図１３（ｂ）は、実施形態１１に係る表示装置１１００を、２人の操作者Ｕ１およびＵ２が操作している様子を上から見た模式図である。本実施形態においては、操作者Ｕ１およびＵ２は、共に左利きである。
表示装置１１００の表示面１１１０は、凹面である第１表示領域１１１０ａ、凸面である第２表示領域１１１０ｂ、凹面である第３表示領域１１１０ｃ、凸面である第４表示領域１１１０ｄから構成されている。これは即ち、図１３（ａ）に示す実施形態１０に係る表示装置１０００を左右反転させた構成に相当する。
【００９１】
従って、表示装置１１００の構成によると、左利きの操作者Ｕ１およびＵ２にとって、それぞれの利き手逆側領域である第１表示領域１１１０ａおよび第３表示領域１１１０ｃが凹面となっており、それぞれの利き手側領域である第２表示領域１１１０ｂおよび第４表示領域１１１０ｄが凸面となっているため、利き手側領域および利き手逆側領域において、良好な操作性を提供することができる。また、実施形態１０に係る表示装置１０００と同様に、平面の表示領域を取り除いた分、表示装置全体の長さを短くすることができ、スペースが限られた場所においても利用することができる。
【００９２】
≪実施形態１２≫
図１４（ａ）は、実施形態１２に係る表示装置１２００を、２人の操作者Ｕ１およびＵ２が操作している様子を上から見た模式図である。本実施形態においては、操作者Ｕ１は右利きであり、操作者Ｕ２は左利きである。
表示装置１２００の表示面１２１０は、凸面である第１表示領域１２１０ａ、凹面である第２表示領域１２１０ｂ、および凸面である第３表示領域１２１０ｃから構成されている。操作者Ｕ１は、第１表示領域１２１０ａおよび第２表示領域１２１０ｂを使用し、操作者Ｕ２は、第２表示領域１２１０ｂおよび第３表示領域１２１０ｃを使用する。即ち、操作者Ｕ１とＵ２は、第２表示領域１２１０ｂを共有している。
【００９３】
表示装置１２００の構成によると、右利きの操作者Ｕ１にとっては、利き手側領域が凸面である第１表示領域１２１０ａであり、利き手逆側領域が凹面である第２表示領域１２１０ｂであるため、利き手側領域においても利き手逆側領域においても操作しやすい。また、左利きの操作者Ｕ２にとっては、利き手逆側領域が凹面である第２表示領域１２１０ｂであり、利き手側領域が凸面である第３表示領域１２１０ｃであるため、利き手側領域においても利き手逆側領域においても操作しやすい。加えて、第２表示領域１２１０ｂを操作者Ｕ１とＵ２とで共有することにより、表示装置１２００は３つの表示領域しか備えていないため、表示装置１０００および１１００よりもさらに表示装置全体の長さを短くすることができる。これにより、より限られたスペースにおいても利用することができる。
【００９４】
≪実施形態１３≫
図１４（ｂ）は、実施形態１３に係る表示装置１３００を、２人の操作者Ｕ１およびＵ２が操作している様子を上から見た模式図である。本実施形態においては、操作者Ｕ１は左利きであり、操作者Ｕ２は右利きである。
表示装置１３００の表示面１３１０は、凹面である第１表示領域１３１０ａ、凸面である第２表示領域１３１０ｂ、および凹面である第３表示領域１３１０ｃから構成されている。操作者Ｕ１は、第１表示領域１３１０ａおよび第２表示領域１３１０ｂを使用し、操作者Ｕ２は、第２表示領域１３１０ｂおよび第３表示領域１３１０ｃを使用する。即ち、操作者Ｕ１とＵ２は、第２表示領域１３１０ｂを共有している。
【００９５】
表示装置１３００の構成によっても、左利きの操作者Ｕ１にとっては、利き手逆側領域が凹面である第１表示領域１３１０ａであり、利き手側領域が凸面である第２表示領域１３１０ｂであるため、利き手側領域においても利き手逆側領域においても操作しやすい。また、右利きの操作者Ｕ２にとっては、利き手側領域が凸面である第２表示領域１３１０ｂであり、利き手逆側領域が凹面である第３表示領域１３１０ｃであるため、利き手側領域においても利き手逆側領域においても操作しやすい。さらに、第２表示領域１３１０ｂを操作者Ｕ１とＵ２とで共有することにより、表示装置１３００は３つの表示領域しか備えていないため、表示装置１０００および１１００よりもさらに表示装置全体の長さを短くすることができる。これにより、より限られたスペースにおいても利用することができる。
【００９６】
さらに加えて、本実施形態に係る表示装置１３００においては、操作者Ｕ１とＵ２とが横に並んで操作する場合に、実施形態１２に係る表示装置１２００の場合と比較して、両操作者同士の間隔により余裕があり、双方の操作者がより快適にタッチ操作を行うことができる。
≪実施形態１４≫
図１５（ａ）は、実施形態１４に係る表示装置１４００を、左利きの操作者Ｕ１が操作している様子を上から見た模式図である。図１５（ｂ）は、表示装置１４００を、右利きの操作者Ｕ２が操作している様子を上から見た模式図である。図１５（ｃ）は、図１５（ａ）に示す表示装置１４００を、後方側から見た斜視図である。
【００９７】
図１５（ａ）において、表示装置１４００は、横置き状態（第１端部１４１１ａと第２端部１４１１ｂとの設置面（床面または地面）からの高さが同じになるような状態）であり、操作者側から見て、第１端部１４１１ａが左側に位置する第１状態である。
図１５（ｂ）において、表示装置１４００は、横置き状態であり、操作者側から見て、第１端部１４１１ａが右側に位置する第２状態である。
【００９８】
表示装置１４００は、表示面１４１０を有するタッチスクリーンが筐体１４２０に保持されて成るパネル部１４７０に加えて、パネル部１４７０を床面または地面に対して支持する支持部１４３０を備える。また、表示装置１４００は、パネル部１４７０と支持部１４３０との間に介在し、支持部１４３０に対してパネル部１４７０を回動可能に接続する回動部１４４０を備える。さらに、表示装置１４００は、パネル部１４７０の天地（表示面１４１０の天地でもある）を検出する天地検出部１４５０と、天地検出部１４５０の検出結果に基づいて、表示面１４１０に正しい天地で画像を表示させる表示制御部１４６０とが、筐体１４２０内部に内蔵されている。なお、パネル部１４７０に、プリント配線基板３１、フレキシブル配線板３２、タッチスクリーン保持板４１（図１６および実施形態１５参照）等を含めてもよい。
【００９９】
回動部１４４０は、支持部１４３０に固定され、表示装置１４００を、第１状態と第２状態との間で回動可能に保持している。パネル部１４７０が横置き状態となるとストッパが働き、その状態でパネル部１４７０を静止させる。
なお、横置き状態のとき、第１端部１４１１ａと第２端部１４１１ｂの設置面からの高さが厳密に同じでなくてもよい。第１端部１４１１ａと第２端部１４１１ｂの設置面からの高さが若干異なっていても、実質的に横置き表示装置として使用することに特に支障が無ければよい。そのような状態も、横置き状態に含まれ、第１端部１４１１ａと第２端部１４１１ｂの設置面からの高さが同じである状態に含まれる。
【０１００】
天地検出部１４５０は、例えば、ジャイロセンサ等である。また、表示制御部１４６０は、例えば、マイコン等のＩＣチップを備えた制御回路である。
サイネージ用途や共用ディスプレイなど不特定多数の操作者が表示装置を使用する際、操作者の利き手により最適な湾曲形状は異なると考えられる。例えば、右利きの操作者の場合、表示部に向かって利き手側が凸面、利き手と逆側が凹面となる様に湾曲していると操作がしやすいが、左利きの操作者の場合はその逆である。
【０１０１】
本実施形態に係る表示装置１４００の構成によると、左利きの操作者が操作する場合には、図１５（ａ）に示すように、表示面１４１０を利き手側（左側）領域が凸面で、利き手逆側（右側）領域が凹面となるような状態（第１状態）にして使用することにより、左利きの操作者が操作しやすくなる。そして、右利きの操作者が操作する場合には、パネル部１４７０を回動させて、図１５（ｂ）に示す状態とする。即ち、表示面１４１０を利き手側（右側）領域が凸面で、利き手逆側（左側）領域が凹面となるような状態（第２状態）にして使用することにより、右利きの操作者が操作しやすくなる。このように、操作者の利き手に合わせて、第１状態と第２状態との間で使いやすい方の状態に切り替えることができる。
【０１０２】
その際に、表示装置１４００は、天地検出部１４５０と表示制御部１４６０とを備えているため、表示面１４１０の天地が入れ替わると、画像を上下左右反転させて表示し、正しい天地で画像を表示することができる。これにより、操作者の利き手に係らず、優れた利便性を提供することができる。
≪実施形態１５≫
図１６は、実施形態１５に係る表示装置１５００の、筐体を取り除いて内部の概略構成を示す斜視図である。表示装置１５００は、タッチスクリーン１に走査信号、映像信号、電源等を供給し、位置入力信号を受信する複数のプリント配線基板（端子部）３１ａ〜３１ｇが、フレキシブル配線板３２ａ〜３２ｇを介して接続されている。プリント配線基板３１ａ〜３１ｇそれぞれを特に区別する必要が無い場合には、単に「プリント配線基板３１」という。また、フレキシブル配線板３２ａ〜３２ｇそれぞれを特に区別する必要が無い場合には、単に「フレキシブル配線板３２」という。本実施形態においては、プリント配線基板３１ａ〜３１ｆは、タッチスクリーン１の画像表示装置（ディスプレイ）に画像を表示させるためのものであり、プリント配線基板３１ｇは、タッチスクリーン１の位置入力装置（タッチセンサ）からの位置入力信号を受信するためのものである。プリント配線基板３１ｇは、プリント配線基板３１ａの上に重ねて配置されており、フレキシブル配線板３２ｇによりタッチスクリーン１と接続されている。プリント配線基板３１ａ〜３１ｆについては、それぞれ２個のフレキシブル配線板３２が接続されているが、図１６においては、それぞれ一方にのみ符号を付している。本実施形態においては、プリント配線基板３１は、タッチスクリーン１の外側を囲むように配列されている。プリント配線基板３１ａ，３１ｄと、タッチスクリーン１は、タッチスクリーン保持板４１上に貼り付けられている。タッチスクリーン保持板４１は、タッチスクリーン１の湾曲に合わせて湾曲した形状を有している。ここでは、タッチスクリーン保持板４１は、タッチスクリーン１の形状（表示面１０の形状）を維持する形状維持部材である。
【０１０３】
プリント配線基板３１ａ，３１ｄ，３１ｇは、それぞれタッチスクリーン１の上辺および下辺の外側に配置されているため、平板状である。プリント配線基板３１ｂ，３１ｆは、第１表示領域１０ａの両脇に配置され、プリント配線基板３１ｃ，３１ｅは、第２表示領域１０ｂの両脇に配置されている。このため、プリント配線基板３１ｃ，３１ｅは凸状に湾曲しており、プリント配線基板３１ｃ，３１ｅは、凹状に湾曲している。
【０１０４】
ここで、プリント配線基板３１が、変曲点を避けた位置に配置されている、即ち変曲点にまたがって配置されていないため、プリント配線基板３１は、一律に凸状または凹状に湾曲している。プリント配線基板は、通常フレキシブルな材料を用いて形成されていない。そのため、プリント配線基板が変曲点にまたがって配置されている場合、１個のプリント配線基板が変曲点を境に凸状と凹状に湾曲した形状となり、プリント配線基板に大きな負荷がかかり、プリント配線基板の破損を招くこととなる。プリント配線基板上には、駆動回路が形成されたＩＣドライバ等が搭載されており、破損するとタッチスクリーンの機能を大きく損なう虞が大きい。
【０１０５】
本実施形態に係る表示装置１５００の構成によると、プリント配線基板３１が表示面１０の変曲点を避けた位置に配置されているため、プリント配線基板３１が破損しにくい。
なお、表示装置１５００においては、１つの表示領域の１辺に１個のプリント配線基板３１が配置されていたが、これに限られない。１つの表示領域の１辺に、長さの短い複数のプリント配線基板が直列配置されていてもよい。この場合においても、プリント配線基板は、変曲点を避けた位置に配置される。
【０１０６】
また、プリント配線基板３１ｇは、プリント配線基板３１ａ上に重ねて配置されていたが、これに限られない。プリント配線基板３１ｂ〜３１ｆの何れのプリント配線基板３１上に重ねて配置されていてもよいし、他の何れのプリント配線基板３１の横に並べて配置されていてもよい。さらには、表示装置１５００が、プリント配線基板３１ｇを複数備えてもよい。
【０１０７】
また、本実施形態においては、プリント配線基板３１ａ〜３１ｆに接続されるフレキシブル配線板３２の数は、それぞれ２個ずつであり、プリント配線基板３１ｇに接続されるフレキシブル配線板３２の数は１個であったが、これに限られない。１個のプリント配線基板に接続されるフレキシブル配線板の数は、１個ずつでもよいし、２個以上の複数個でもよい。
【０１０８】
≪変形例≫
以上、本発明の構成を、実施形態１〜１５に基づいて説明したが、本発明は上記各実施形態に限られない。例えば、以下のような変形例を実施することができる。
上記各実施形態においては、タッチスクリーンは凹面と凸面とを備えていたが、これに限られない。
【０１０９】
（変形例１）
図１７（ａ）は、変形例１に係る表示装置１６００の側面図である。表示装置１６００の表示面１６１０は、凸面である第１表示領域１６１０ａと、平面である第２表示領域１６１０ｂとから成る。
本変形例に係る表示装置１６００の構成によっても、上領域に相当する第１表示領域１６１０ａが凸面となっているため、全面が平面のタッチスクリーンと比較して、上領域において、より操作しやすい。
【０１１０】
なお、本変形例においては、縦置きの表示装置の例を示したが、横置きの表示装置としてもよい。その場合は、利き手側を凸面にすることが望ましい。
（変形例２）
図１７（ｂ）は、変形例２に係る表示装置１７００の側面図である。表示装置１７００の表示面１７１０は、第１表示領域１７１０ａも第２表示領域１７１０ｂも共に凸面である。しかし、上領域に相当する第１表示領域１７１０ａよりも下領域に相当する第２表示領域１７１０ｂの方が、より大きな曲率半径を有している、即ち、湾曲が緩やかである。これにより、下領域においては、より平面に近くなっているため、第１表示領域１７１０ａと同じの曲率半径で全面的に湾曲された凸面タッチスクリーンと比較して、下領域においてより良好な操作性が得られる。
【０１１１】
なお、本変形例においては、縦置きの表示装置の例を示したが、横置きの表示装置としてもよい。その場合は、利き手側を曲率半径の小さい凸面にすることが望ましい。
本変形例に係る表示装置１７００では、第１表示領域１７１０ａも第２表示領域１７１０ｂも共に凸面で、互いの曲率（曲率半径）が異なっていた。このように、隣り合う２つの表示領域が、共に凸面であっても、互いの曲率（曲率半径）が異なっている場合は、第２条件を満たす。
【０１１２】
（変形例３）
図１８（ａ）は、変形例３に係る表示装置１８００の側面図である。表示装置１８００の表示面１８１０は、平面である第１表示領域１８１０ａ（上領域に相当）と、凹面である第２表示領域１８１０ｂ（下領域に相当）とから成る。
本変形例に係る表示装置１８００の構成によっても、下領域が凹面となっているため、全面が平面のタッチスクリーンと比較して、下領域において、より良好な操作性が得られる。
【０１１３】
なお、本変形例においては、縦置きの表示装置の例を示したが、横置きの表示装置としてもよい。その場合は、利き手逆側を凹面にすることが望ましい。
（変形例４）
図１８（ｂ）は、変形例４に係る表示装置１９００の側面図である。表示装置１９００の表示面１９１０は、第１表示領域１９１０ａも第２表示領域１９１０ｂも共に凹面である。しかし、下領域に相当する第２表示領域１９１０ｂよりも上領域に相当する第１表示領域１９１０ａの方が、曲率半径が大きい、即ち湾曲が緩やかである。これにより、上領域においてはより平面に近くなっているため、第２表示領域１９１０ｂと同じの曲率半径で全面的に湾曲された凹面タッチスクリーンと比較して、上領域において、より良好な操作性が得られる。
【０１１４】
なお、本変形例においては、縦置きの表示装置の例を示したが、横置きの表示装置としてもよい。その場合は、利き手逆側を曲率半径の小さい凹面にすることが望ましい。
本変形例に係る表示装置１９００では、第１表示領域１９１０ａも第２表示領域１９１０ｂも共に凹面で、互いの曲率（曲率半径）が異なっていた。このように、隣り合う２つの表示領域が、共に凹面であっても、互いの曲率（曲率半径）が異なっている場合は、第２条件を満たす。
【０１１５】
（変形例５）
図１９（ａ）は、変形例５に係る表示装置２０００の側面図である。表示装置２０００の表示面２０１０は、平面である第１表示領域２０１０ａ（上領域）、凹面である第２表示領域２０１０ｂ（中領域）、および平面である第３表示領域２０１０ｃ（下領域）から成る。即ち、曲面が平面に挟み込まれたような形状を有している。
【０１１６】
本変形例に係る表示装置２０００の構成によっても、第２表示領域２０１０ｂが凹面であるため、第３表示領域２０１０ｃを水平面に近い平面とすることができる。これは即ち、表示装置２０００の湾曲形状は、実施形態４に係る表示装置４００（図８（ｂ）参照）および変形例３に係る表示装置１８００（図１８（ａ）参照）に近似した湾曲形状であるということができる。従って、これらと同様に、平面タッチスクリーンや、一定の曲率を有する凹面タッチスクリーン、一定の曲率を有する凸面タッチスクリーンの場合と比較して、より良好な操作性を得ることができる。
【０１１７】
（変形例６）
図１９（ｂ）は、変形例６に係る表示装置２１００の側面図である。表示装置２１００の表示面２１１０は、平面である第１表示領域２１１０ａ（上領域）、凸面である第２表示領域２１１０ｂ（中領域）、および平面である第３表示領域２１１０ｃ（下領域）から成る。即ち、表示装置２０００と同様に、曲面が平面に挟み込まれたような形状を有している。
【０１１８】
本変形例に係る表示装置２１００の構成によっても、第２表示領域２１１０ｂが凸面であるため、第１表示領域２１１０ａをより水平面に近い傾斜の緩やかな平面とすることができる。これは即ち、表示装置２１００の湾曲形状は、変形例１に係る表示装置１６００（図１７（ａ）参照）に近似した形状であるということができる。従って、表示装置１６００と同様に、平面タッチスクリーンや、一定の曲率を有する凹面タッチスクリーン、一定の曲率を有する凸面タッチスクリーンの場合と比較して、より良好な操作性を得ることができる。
【０１１９】
（変形例７）
横置きの場合の表示装置の実施形態（実施形態６から実施形態１４）では、サイネージ用途に適用された場合を例に説明したが、これに限られない。例えば、２０型以下の小型の表示装置の場合、車載用途等に横置きで利用することも可能である。
（変形例８）
なお、上記各実施形態および各変形例においては、タッチスクリーンには、液晶パネルや有機ＥＬパネルを用いたが、それに限ったものではなく、スクリーンとプロジェクタとを用いる方式でもよい。また、タッチスクリーンは、平面視矩形状に限られず、そのサイズも１０インチ以上５０インチ以下のサイズに限られない。
【０１２０】
また、タッチスクリーンの位置入力装置には、静電容量方式、抵抗膜方式、光学方式、超音波方式等の位置入力装置を用いることができる。また、静電容量方式の場合、位置入力装置が偏光板の下に配置されたオンセル方式や、位置入力装置が表示装置に内蔵されたインセル方式等であってもよい。
（変形例９）
実施形態７に係る表示装置７００の表示面７１０は、凸面である第１表示領域７１０ａと、凹面である第２表示領域７１０ｂとから構成されていた。しかし、これに限られない。
【０１２１】
図２０（ａ）は、変形例９に係る表示装置２２００を操作者が操作しているところを上から見た模式図である。同図に示すように、表示装置２２００の表示面２２１０は、凸面である第１表示領域２２１０ａ、平面である第２表示領域２２１０ｂ、および凹面である第３表示領域２２１０ｃから構成されている。第３表示領域２２１０ｃは、半径Ｖ１の仮想円弧Ａに沿って湾曲した形状となっている。本変形例に係る表示装置２２００は、第２表示領域２２１０ｂが平面となっている点が、実施形態７に係る表示装置７００とは異なっている。表示装置２２００においては、凸面である第１表示領域２２１０ａに加えて、平面である第２表示領域２２１０ｂにおいても、仮想円弧Ａとの間にずれが存在する。
【０１２２】
ここで、表示装置２２００では、第２表示領域２２１０ｂは、仮想円弧Ａに略沿うように、操作者に対して右側が操作者に近づくように斜めになっている。（本変形例においては、第２表示領域２２１０ｂの右端と左端は、仮想円弧Ａ上に略位置している。）そのため、第１表示領域２２１０ａの仮想円弧Ａに対するずれＷ１と第２表示領域２２１０ｂの仮想円弧Ａに対するずれＷ２とは、共に、Ｖ１の５％未満となっている。これにより、第１表示領域２２１０ａおよび第２表示領域２２１０ｂにおける操作の際の違和感が軽減され、表示面２２１０の全体に亘って良好なタッチ操作性を実現することができる。
【０１２３】
（変形例１０）
変形例９においては、第２表示領域が平面となっていたが、これに限られない。図２０（ｂ）は、変形例１０に係る表示装置２３００を操作者が操作しているところを上から見た模式図である。同図に示すように、表示装置２３００の表示面２３１０は、凸面である第１表示領域２３１０ａ、凹面である第２表示領域２３１０ｂ、および平面である第３表示領域２３１０ｃから構成されている。第２表示領域２３１０ｂは、半径Ｖ１の仮想円弧Ａに沿って湾曲した形状となっている。本変形例に係る表示装置２３００は、第３表示領域２３１０ｃが平面となっている点が、実施形態７に係る表示装置７００とは異なっている。表示装置２３００においては、凸面である第１表示領域２３１０ａに加えて、平面である第３表示領域２３１０ｃにおいても、仮想円弧Ａとの間にずれが存在する。
【０１２４】
ここで、表示装置２３００では、第３表示領域２３１０ｃは、仮想円弧Ａに略沿うように、操作者に対して左側が操作者に近づくように斜めになっている。（本変形例においては、第３表示領域２３１０ｃの右端と左端は、仮想円弧Ａ上に略位置している。）そのため、第１表示領域２３１０ａの仮想円弧Ａに対するずれＷ１と第３表示領域２３１０ｃの仮想円弧Ａに対するずれＷ３とは、共に、Ｖ１の５％未満となっている。これにより、第１表示領域２３１０ａおよび第３表示領域２３１０ｃにおける操作の際の違和感が軽減され、表示面２３１０の全体に亘って良好なタッチ操作性を実現することができる。
【０１２５】
≪補足≫
以上、本発明の一態様としての実施形態および変形例について説明した。本発明の一態様の構成およびその効果は、以下のようにまとめることができる。
本発明の一態様に係る表示装置は、画像を表示するとともにユーザからのタッチ入力を受付ける表示面を有するタッチスクリーンを備えた表示装置であって、前記表示面は、前記表示面の周縁における第１端部から、前記表示面の面積重心を挟んで前記第１端部と反対側の前記周縁に位置する第２端部に向かう方向に沿って湾曲しており、前記第１端部から前記第２端部に向かう方向に沿った曲率が一定で、前記第１端部を含んで変曲点を含まない第１表示領域と、前記第１表示領域の前記第２端部側に連設され、前記曲率が一定で変曲点を含まない第２表示領域と、を有し、前記第１表示領域と前記第２表示領域とは、一方が凹面で他方が凸面である第１条件と、前記曲率が互いに異なる第２条件との、少なくとも一方を満たすことを特徴とする。
【０１２６】
タッチスクリーンが平面や、一定の曲率の凸面、一定の曲率の凹面の場合には、表示面に爪が当たったり、腕が動かしにくかったりして操作しづらいことがある。
本発明の一態様に係る表示装置の構成によれば、第１表示領域および第２表示領域が第１条件を満たす場合には、表示面に爪が当たりにくい形状や、腕の伸縮動作をより円滑に行うことができる形状とすることができる。また、第１表示領域および第２表示領域が第２条件を満たす場合には、一定の曲率の凸面や凹面、または平面タッチスクリーンの場合に操作しづらい箇所の曲率を変えて、爪が当たりにくい形状や、腕を動かしやすい形状にすることができる。これにより、第１表示領域および第２表示領域において、より操作しやすい表示装置を実現することができる。
【０１２７】
本発明の別の態様に係る表示装置においては、前記タッチスクリーンは、可撓性を有し、
前記タッチスクリーンの形状を維持する形状維持部材をさらに有してもよい。
これにより、タッチスクリーンを平面で形成した後に、湾曲させることができるため、タッチスクリーンの製造が容易である。また、形状維持部材により、タッチスクリーンの形状が維持されるため、安定して良好な操作性を得ることができる。
【０１２８】
本発明の別の態様に係る表示装置においては、前記第１表示領域は、凸面であり、前記第２表示領域は、凹面であってもよい。
これにより、縦置きの場合は、第１表示領域を上側にして第２表示領域を下側にすることにより、表示面に爪が当たりにくく、第１表示領域および第２表示領域の両方において良好な操作性を得ることができる。
【０１２９】
横置きの場合は、第１表示領域を利き手側にして第２表示領域を利き手逆側にすることにより、利き手側では腕が動かしやすく、利き手逆側では手が届きやすくなり、第１表示領域および第２表示領域の両方において良好な操作性を得ることができる。
本発明の別の態様に係る表示装置においては、前記第１表示領域および前記第２表示領域の一方は、平面であってもよい。
【０１３０】
これにより、タッチスクリーンが平面である場合に操作しづらい表示面の箇所を湾曲させたり、タッチスクリーンが曲率一定の凸面または凹面である場合に操作しづらい表示面の箇所を平面にしたりすることにより、操作性を改善することができる。
本発明の別の態様に係る表示装置においては、前記表示面は、前記第１端部から前記第２端部に向かう方向と直交する方向に沿って湾曲していなくてもよい。
【０１３１】
これにより、表示面の湾曲が２次元であるため、タッチスクリーンの製造が容易である。
本発明の別の態様に係る表示装置においては、前記第２表示領域は、前記第２端部を含んでもよい。
これにより、表示面が第１表示領域と第２表示領域のみから成り、形状が比較的単純で製造が容易である。また、表示領域が２つのみであるため、表示装置をコンパクトにすることができる。
【０１３２】
本発明の別の態様に係る表示装置においては、前記第１表示領域と前記第２表示領域とは、前記第１端部から前記第２端部へと向かう方向における長さが異なってもよい。
これにより、表示装置が設置されている場所や、表示装置のサイズ、表示装置の操作者に対する相対的な位置関係等によって、表示面をより操作しやすい形状に調整することができる。
【０１３３】
本発明の別の態様に係る表示装置においては、前記第１表示領域は、前記第２表示領域よりも、前記長さが長くてもよい。
これにより、第１表示面と第２表示面の両方において、操作者の指と表示面とが無理なく接触することができ、良好な操作性を得ることができる。
本発明の別の態様に係る表示装置においては、前記第１表示領域の前記長さは、前記表示面の前記長さの１／２以上で３／４以下であってもよい。
【０１３４】
これにより、例えば、表示装置が縦置きで使用される場合において、操作者の指と表示面との接触をより円滑にすることができ、より良好な操作性を得ることができる。
本発明の別の態様に係る表示装置においては、前記第１表示領域の前記長さは、前記表示面の前記長さの１／４以上で１／２以下であってもよい。
これにより、例えば、表示装置が横置きで使用される場合において、表示面の左右の端部側領域を操作する際に、表示面と操作者との間の距離の変化が大きくなることにより引き起こされる違和感（操作しづらさ）が軽減され、より良好な操作性を得ることができる。
【０１３５】
本発明の別の態様に係る表示装置においては、前記第２表示領域の前記第２端部側に連設され、前記曲率が一定で変曲点を含まない第３表示領域を有し、前記第２表示領域と前記第３表示領域とは、前記第１条件と前記第２条件の少なくとも一方を満たしてもよい。
これにより、表示面が第３表示領域をさらに有するため、表示面の湾曲形状をより細かく設定することができ、操作性のさらなる改善を図ることができる。さらには、表示装置のサイズが大型化された場合においても、より細かい湾曲形状とすることができ、良好な操作性を得ることができる。
【０１３６】
本発明の別の態様に係る表示装置においては、前記第２表示領域は、平面でなく、前記第３表示領域は、平面であってもよい。
これによっても、より良好な操作性を得ることができる。
本発明の別の態様に係る表示装置においては、前記第３表示領域の前記第２端部側に連設され、前記曲率が一定で変曲点を含まない第４表示領域を有し、
前記第３表示領域と前記第４表示領域とは、前記第１条件と前記第２条件との少なくとも一方を満たしてもよい。
【０１３７】
これにより、表示面が第４表示領域をさらに有するため、表示面の湾曲形状をより細かく設定することができ、操作性のさらなる改善を図ることができる。さらには、表示装置のサイズが大型化された場合においても、より細かい湾曲形状とすることができ、良好な操作性を得ることができる。
本発明の別の態様に係る表示装置においては、前記第１表示領域および前記第３表示領域が凸面であって、前記第２表示領域および前記第４表示領域が凹面であるか、または、前記第１表示領域および前記第３表示領域が凹面であって、前記第２表示領域および前記第４表示領域が凸面であってもよい。
【０１３８】
これにより、例えば、表示装置が横置きで使用される場合に、複数の操作者が横に並んで同時に表示装置を使用しても、それぞれの操作者にとって操作しやすい形状の表示面にすることができる。
本発明の別の態様に係る表示装置においては、前記表示面は、平面視で矩形状であり、前記矩形の対角線の長さが、１０インチ以上５０インチ以下であってもよい。
【０１３９】
これにより、操作者が操作の際に移動しなくても容易に操作することができる。
本発明の別の態様に係る表示装置においては、前記タッチスクリーンの外側において前記第１端部から前記第２端部へと向かう方向に沿って配され、前記タッチスクリーンとの間で信号のやり取りを行う複数の端子部を備え、前記複数の端子部は、前記表示面の変曲点を避けた位置に配置されていてもよい。
【０１４０】
これにより、複数の端子部が表示面の湾曲に沿って配置される際に、それぞれの端子部は、湾曲が一定となるため、複数の曲率で湾曲される場合と比較して端子部が受ける応力が軽減され、端子部の損傷リスクを軽減することができる。
本発明の別の態様に係る表示装置においては、前記第１端部が上側、前記第２端部が下側となる姿勢で、車両内部に取り付けられていてもよい。
【０１４１】
これにより、表示装置を車載用途に利用することができる。
本発明の別の態様に係る表示装置においては、操作者が前記車両の運転席から前記表示面へのタッチ操作を行なうことが可能な位置に前記タッチスクリーンが位置するように、前記車両内部のコンソールパネルに取り付けられていてもよい。
これにより、車内において、運転席に座った操作者が表示装置を操作しやすい。
【０１４２】
本発明の別の態様に係る表示装置においては、前記コンソールパネルにおける前記タッチ操作を行うことが可能な位置において、前記第１端部は、前記車両のダッシュボードよりも低く、前記第２端部は、前記運転席の座面よりも高くてもよい。
これにより、車内において、運転席に座った操作者が表示装置を操作しやすい。
本発明の別の態様に係る表示装置においては、ユーザ側から見た場合に、前記第１端部および前記第２端部の地面または床面からの高さが同じになるような状態において、前記第１端部が左側に位置する第１状態と、前記第１端部が右側に位置する第２状態との間で切り替え可能に、前記タッチスクリーンおよび前記筐体を含むパネル部を保持する回動部と、前記回動部を介して前記パネル部を地面または床面に対して支持する支持部と、前記パネル部の天地を検出する天地検出部と、前記天地検出部の検出結果に基づいて、前記表示部に正しい天地で画像を表示させる表示制御部と、を備えてもよい。
【０１４３】
これにより、操作者の利き手に係らず、良好な操作性を操作者に提供することができる。
また、本発明の一態様に係る車両は、上記何れかの特徴を備えた表示装置を有することを特徴とする。
また、本発明の一態様に係る電子看板は、上記何れかの特徴を備えた表示装置を有することを特徴とする。
【０１４４】
また、本発明の一態様に係る携帯型電子機器は、上記何れかの特徴を備えた表示装置を有することを特徴とする。
以上で説明した実施形態は、いずれも本発明の好ましい一具体例を示すものである。実施形態で示される数値、形状、材料、構成要素、構成要素の配置位置及び接続形態、工程、工程の順序などは一例であり、本発明を限定する主旨ではない。また、実施形態における構成要素のうち、本発明の最上位概念を示す独立請求項に記載されていない構成要素については、より好ましい形態を構成する任意の構成要素として説明される。
【０１４５】
また、発明の理解の容易のため、上記各実施形態で挙げた各図の構成要素の縮尺は実際のものと異なる場合がある。また本発明は上記各実施形態の記載によって限定されるものではなく、本発明の要旨を逸脱しない範囲において適宜変更可能である。例えば、各実施形態に係る表示装置の部分的な構成および上記各変形例に係る構成を、適宜組み合わせてなる表示装置であっても良い。
【０１４６】
なお、上記示した各図は模式図であり、必ずしも厳密に図示したものではない。
【産業上の利用可能性】
【０１４７】
本発明にかかる表示装置は、操作者の利き手や使用状況に応じてより操作しやすい湾曲形状のタッチスクリーンを有する表示装置であり、車載用途等として有用である。またサイネージ（電子看板）やアミューズメント、タブレット等の携帯型電子機器用途にも応用できる。
【符号の説明】
【０１４８】
１  タッチスクリーン
２  センターコンソール（コンソールパネル）
３  ダッシュボード
４  運転席
４ａ  座面
１０，３１０，４１０，５１０，６１０，７１０，８１０，９１０，１０１０，１１１０，１２１０，１３１０，１４１０，１６１０，１７１０，１８１０，１９１０，２０１０，２１１０  表示面
１０ａ，３１０ａ，４１０ａ，５１０ａ，６１０ａ，７１０ａ，８１０ａ，９１０ａ，１０１０ａ，１１１０ａ，１２１０ａ，１３１０ａ，１６１０ａ，１７１０ａ，１８１０ａ，１９１０ａ，２０１０ａ，２１１０ａ  第１表示領域
１０ｂ，３１０ｂ，４１０ｂ，５１０ｂ，６１０ｂ，７１０ｂ，８１０ｂ，９１０ｂ，１０１０ｂ，１１１０ｂ，１２１０ｂ，１３１０ｂ，１６１０ｂ，１７１０ｂ，１８１０ｂ，１９１０ｂ，２０１０ｂ，２１１０ｂ  第２表示領域
１１，６１１  周縁
１１ａ，６１１ａ  第１端部
１１ｂ，６１１ｂ  第２端部
２０  筐体（形状維持部材）
３２，３２ａ，３２ｂ，３２ｃ，３２ｄ，３２ｅ，３２ｆ，３２ｇ  プリント配線基板（端子部）
４１  タッチスクリーン保持板（形状維持部材）
１００，３００，４００，５００，６００，７００，８００，９００，１０００，１１００，１２００，１３００，１４００，１５００，１６００，１７００，１８００，１９００，２０００，２１００
２００  車両
３１０ｃ，４１０ｃ，６１０ｃ，８１０ｃ，９１０ｃ，１０１０ｃ，１１１０ｃ，１２１０ｃ，１３１０ｃ，２０１０ｃ，２１１０ｃ  第３表示領域
８１０ｄ，９１０ｄ，１０１０ｄ，１１１０ｄ  第４表示領域
１４３０  支持部
１４４０  回動部
１４５０  天地検出部
１４６０  表示制御部
１４７０  パネル部
Ｃ  面積重心
【図１】
2016146004.tif 000003
【図２】
2016146004.tif 000004
【図３】
2016146004.tif 000005
【図４】
2016146004.tif 000006
【図５】
2016146004.tif 000007
【図６】
2016146004.tif 000008
【図７】
2016146004.tif 000009
【図８】
2016146004.tif 000010
【図９】
2016146004.tif 000011
【図１０】
2016146004.tif 000012
【図１１】
2016146004.tif 000013
【図１２】
2016146004.tif 000014
【図１３】
2016146004.tif 000015
【図１４】
2016146004.tif 000016
【図１５】
2016146004.tif 000017
【図１６】
2016146004.tif 000018
【図１７】
2016146004.tif 000019
【図１８】
2016146004.tif 000020
【図１９】
2016146004.tif 000021
【図２０】
2016146004.tif 000022